(57)【要約】【課題】  薄紙から成る帳票を折り曲げることなく、円滑に１枚毎に分離して搬送路へ送り出すことが可能な給紙装置を提供する。【解決手段】  用紙を連続的に繰り出す給紙手段と、繰り出された用紙に対しその搬送を阻止する方向に回動して該用紙の重送を阻止するリバース部とを備える給紙装置において、薄紙から成る用紙を積層する積層部と、積層された用紙を最上部側から順次、吸着し、かつ回転してリバース部に向けて繰り出す回転吸着部と、リバース部を阻止方向とは逆方向に回動させる。【選択図】    図１
2008285286.tif 000002
【特許請求の範囲】
【請求項１】
用紙を連続的に繰り出す給紙手段と、前記繰り出された用紙に対しその搬送を阻止する方向に回動して該用紙の重送を阻止するリバース部とを備える給紙装置において、
薄紙から成る用紙を積層する積層部と、
前記積層された用紙を最上部側から順次、吸着し、かつ回転して前記リバース部に向けて繰り出す回転吸着部と、
前記リバース部を前記阻止方向とは逆方向に回動させる制御部とを含むことを特徴とする給紙装置。
【請求項２】
前記回転吸着部は、
前記積層された最上部の用紙が押し付けられる回転体と、
該回転体の周面に沿って設けられる複数の吸引孔と、
該回転体を回転可能に保持するホルダーと、
該ホルダーに設けられて前記回転体の回転で順次、各吸引孔と連通し、該各吸引孔を介して前記用紙を前記周面に吸引させる吸引路と、を含むことを特徴とする請求項１に記載の給紙装置。
【発明の詳細な説明】
【技術分野】
【０００１】
本発明は、積載された帳票を１枚毎に分離して搬送路へ送り出す給紙装置に関し、特にＯＣＲ（光学式文字読取装置）等の光学式情報処理装置に付設される給紙装置に関する。
【背景技術】
【０００２】
従来、公的機関及び金融機関などで導入されているＯＣＲ等の光学式情報処理装置に付設される給紙装置１０は、例えば図３に示すように、帳票１を傾斜角を付けて積載保持するための紙サポート台２と、帳票１及び紙サポート台２を搬送するための紙供給ベルト３と、積載された帳票１を搬送方向へ引き込むための紙引き込みベルト４とを備える。ここで、紙供給ベルト３は、低速で回転し、該回転に基づいて紙サポート台２により傾斜角を付けて積載された帳票１を紙引き込みベルト４に押し当てる。これにより、紙引き込みベルト４は、該紙引き込みベルト４の回転に基づいて、押し当てられた帳票１の搬送を開始する。
【０００３】
また、上記装置は、図２に示すように、紙引き込みベルト４により引き込まれた帳票１をリバースベルト５を用いて１枚毎に分離するためのセパレートベルト６と、１枚毎に分離された帳票１を振り分け機構等に搬送するための紙搬送ベルト７とを備える。ここで、リバースベルト５は、紙供給ベルト３と逆回転することで、例えば紙引き込みベルト４において２枚の帳票１を引き込んだ場合、下側の帳票１を紙供給ベルト３方向へ押し戻す。これにより、帳票１は、セパレートベルト６及びリバースベルト５の間を１枚毎に分離され、紙搬送ベルト７により搬送される。
【０００４】
しかしながら、上記給紙装置では、紙サポート台に薄紙から成る帳票を積載した場合、該帳票は、剛性が小さいため、セパレートベルト６及びリバースベルト５の間を通過時に該リバースベルト５から逆方向の摩擦力を受けて折れ曲がることがあった。
【０００５】
以上の問題点に鑑み、本発明の目的は、薄紙から成る帳票を折り曲げることなく、円滑に１枚毎に分離して搬送路へ送り出すことが可能な給紙装置を提供することにある。
【発明の開示】
【課題を解決するための手段】
【０００６】
本発明は、以上の点を解決するために、次の構成を採用する。
本発明の給紙装置は、用紙を連続的に繰り出す給紙手段と、繰り出された用紙に対しその搬送を阻止する方向に回動して該用紙の重送を阻止するリバース部とを備える給紙装置において、薄紙から成る用紙を積層する積層部と、積層された用紙を最上部側から順次、吸着し、かつ回転してリバース部に向けて繰り出す回転吸着部と、リバース部を阻止方向とは逆方向に回動させる制御部とを含むことを特徴とする。
【０００７】
上記構成において、回転吸着部は、積層された最上部の用紙が押し付けられる回転体と、該回転体の周面に沿って設けられる複数の吸引孔と、該回転体を回転可能に保持するホルダーと、該ホルダーに設けられて回転体の回転で順次、各吸引孔と連通し、該各吸引孔を介して用紙を周面に吸引させる吸引路と、を含むことを特徴とする。
【発明の効果】
【０００８】
本発明によれば、薄紙から成る帳票を折り曲げることなく、円滑に１枚毎に分離して搬送路へ送り出すことができる。
【０００９】
以下、本発明の実施形態について実施例を用いて詳細に説明する。
【実施例】
【００１０】
＜実施例の構成＞
本発明の給紙装置１００は、図１に示すように、剛性の小さい薄紙である帳票１ａを積載するための積層台１０１と、吸着部１０２と、押えローラ１０３と、紙供給ベルト３ａと、リバースベルト５ａと、セパレートベルト６と、紙搬送ベルト７とを備える。ここで、給紙装置１００は、上記説明した図３に示す従来の給紙装置１０の紙サポート台２を取り外し、積層台１０１と、吸着部１０２と、押えローラ１０３とを追加した構成となっている。また、給紙装置１００は、薄紙から成る帳票１ａ（例えば、３０μｍ）を用いた場合に適応する構成であり、例えば普通紙等の厚さ（例えば、１８０μｍ）を有する帳票１を給紙する場合には、従来の給紙装置１０を用いるものとする。
【００１１】
紙供給ベルト３ａは、正常の厚さの帳票１を搬送する場合には回転速度が低速であるが、薄紙の帳票１ａを搬送する場合には、回転速度が高速となるよう制御される。
【００１２】
リバースベルト５ａは、帳票１ａを搬送する場合にはセパレートベルト６と逆方向に回転し、帳票１ａをセパレートベルト６と共に紙搬送ベルト７方向に搬送する。
【００１３】
紙搬送ベルト７は、リバースベルト５ａ及びセパレートベルト６により搬送された帳票１ａをＯＣＲ等の図示しない光学情報処理装置の下方へ向けて搬送する。
【００１４】
積層台１０１は、図１に示すように、薄紙から成る帳票１ａを積載保持するためのエレベータである。本エレベータは、図１に図示していない帳票１ａを上下動させる構成となっている。エレベータを上昇させることを用いて積載保持する最上部に位置する帳票１ａの上面を吸着部１０２の後述する回転体１０２１の表面に押し当てる。
【００１５】
給紙装置１００を操作するユーザは、積層台１０１に帳票１ａを積載すると、装置本体に配設された図示しない「薄紙給紙ボタン」を押下する。ユーザが上記「薄紙給紙ボタン」を押下すると、装置本体の図示しない制御部は、後述するように装置本体の各モータを予め設定された仕様で駆動させる。一方、ユーザは、薄紙ではない普通紙の給紙処理を行う場合には、給紙装置１００を従来の給紙装置１０の構成に組み替えて給紙サポート台２に普通紙である帳票１を積載し、装置本体に配設された図示しない「普通紙給紙ボタン」を押下する。ユーザが上記「普通紙給紙ボタン」を押下すると、装置本体の図示しない制御部は、装置本体の各モータを予め設定された通常の仕様で駆動させる。
【００１６】
吸着部１０２は、図２に示すように、回転体１０２１と、吸引部１０２２を有するホルダー１０３０と、内側吸引孔１０２３と、回転体１０２１を回転するための駆動モータ１０２４と、回転体１０２１を軸支する軸部１０２９に嵌合されているブーリー１０２５と、駆動モータ１０２４のシャフトに固定されている駆動ブーリー１０２４ａとブーリー１０２５とに巻き掛けられているベルト１０２６と、ホルダー１０３０を固定するための固定部１０２７とを有する。
【００１７】
回転体１０２１は、図１及び図２に示すように、内側吸引孔１０２３と連通された外側吸引孔１０２８を有する。
【００１８】
吸引部１０２２は、真空ポンプに連結され図２に示すように吸引路１０３１を介して内側吸引孔１０２３と整合する構成になっている。軸部１０２９は、ホルダー１０３０を貫通し、ベアリングを介して回転自在に軸支されている。
【００１９】
＜実施例の動作＞
以下、本発明に係る実施例の給紙装置１００の動作について説明する。ここで、薄紙である帳票１ａの給紙処理を行うために、紙サポート台２（図３参照）が取り除かれる。
【００２０】
積層台１０１に帳票１ａを積載すると、積層台１０１は、図２に示すように、積載された最上部の帳票１ａの上面を吸着部１０２の回転体１０２１の表面に押し当てる。
【００２１】
積層台１０１に帳票１ａを積載し、図示しない「薄紙給紙ボタン」を押下すると、給紙装置１００の図示しない制御部は、装置本体に配設された各モータを予め設定された仕様で駆動させる（ステップＳ１０１）。
【００２２】
吸着部１０２では、給紙装置１００の図示しない制御部からの制御により駆動モータ１０２４が駆動を開始すると、該駆動モータ１０２４の駆動力がベルト１０２６及びブーリー１０２５を介して軸部１０２９に伝わり、回転体１０２１が回転を開始する（ステップＳ１０２）。そして、回転体１０２１の回転により該回転体１０２１に形成された内側吸引孔１０２３とホルダー１０３０の吸引路１０３１とが整合すると、外側吸引孔１０２８により帳票１ａが吸引される（ステップＳ１０３）。
【００２３】
回転体１０２１が回転すると、内側吸引孔１０２３が吸引路１０３１から外れるが、後方の内側吸引孔１０２３が間欠的に吸引路１０３１と整合する。従って、帳票１ａは押えローラ１０３と紙供給ベルト３ａとに狭持されて搬送される（ステップＳ１０４）。
【００２４】
一方、セパレートベルト６と対向するリバースベルト５ａは、通常とは逆方向に回転駆動されている。従って、搬送されてきた帳票１ａは分離力を受けず、セパレートベルト６とリバースベルト５ａとにより狭持されて更に搬送される（ステップＳ１０５）。
【００２５】
リバースベルト５ａ及びセパレートベルト６により搬送された帳票１ａは、ＯＣＲ等の光学情報処理装置が配設されている下方向まで搬送される（ステップＳ１０６）。
【００２６】
＜実施例の効果＞
実施例の給紙装置１００によれば、吸着部１０２において、駆動モータ１０２４の駆動により従動回転する回転体１０２１に形成された内側吸引孔１０２３とホルダー１０３０の吸引路１０３１とが整合すると、該吸引路１０３１と結合されている真空ポンプを有する吸引部１０２２が外側吸引孔１０２８を介して外気を吸引するので、この吸引力により回転体１０２１の表面には積層台１０１に積載された最上部の薄紙から成る帳票１ａの上面が吸着し、従って、帳票１ａを１枚毎分離して下方向に給紙することができる。
【産業上の利用可能性】
【００２７】
前記した実施例では、帳票を用いる場合を例にしたが、これに限る必要はなく、全ての剛性の小さい薄紙を用紙として適用可能である。
【図面の簡単な説明】
【００２８】
【図１】本発明に係る実施例の給紙装置の構成を示す図である。
【図２】本発明に係る実施例の吸着部の構成を示す側面図である。
【図３】従来の給紙装置の構成を示す図である。
【符号の説明】
【００２９】
１００  給紙装置
１０１  積層台
１０２  吸着部
１０２１  回転体
１０２２  吸引部
１０２３  内側吸引孔
１０２４  駆動モータ
１０２４ａ  駆動ブーリー
１０２５  ブーリー
１０２６  ベルト
１０２７  固定部
１０２８  外側吸引孔
１０２９  軸部
１０３０  ホルダー
１０３１  吸引路
１０３  押えローラ
１ａ  帳票
３ａ  紙給紙ベルト
４  紙引き込みベルト
５ａ  リバースベルト
６  セパレートベルト
７  紙搬送ベルト
【図１】
2008285286.tif 000003
【図２】
2008285286.tif 000004
【図３】
2008285286.tif 000005